(57)【要約】【課題】暖房機能および追焚機能を有する暖房熱源装置の暖房運転中に浴槽への入浴の検知時において、浴槽内の湯を速やかに昇温する。【解決手段】バイパス経路５６２は、熱媒を暖房端末との間で循環するための熱媒循環経路から分岐されて、熱媒が暖房端末を経由せずに暖房用熱交換器１１ｂを通過した後再び熱媒循環経路に合流する。熱媒循環経路は、バイパス経路５６２の形成時、風呂熱交換器４１０を通流する熱媒の熱量によって追焚循環経路５７０を通流する湯を加熱する。風呂保温運転中、制御装置３００は、入浴の非検知時には目標温度を第１温度に設定し、入浴の検知時には目標温度を第１温度よりも高い第２温度に設定して追焚運転を実行する。暖房運転と風呂保温運転との同時運転中に入浴が検知されると、入浴の非検知時よりも暖房端末に供給される熱媒の通流量を一時的に減少させる。【選択図】図２
2019168170.tif 000002
【特許請求の範囲】
【請求項１】
暖房端末に熱媒を循環供給する暖房運転と、追焚運転によって浴槽内の湯を目標温度に保つ風呂保温運転とを実行する暖房熱源装置であって、
前記暖房運転時に前記熱媒を前記暖房端末との間で循環するための熱媒循環経路と、
熱源からの熱量によって前記熱媒循環経路上の前記熱媒を加熱するための暖房用熱交換器と、
前記熱媒循環経路から分岐されて、前記熱媒が前記暖房端末を経由せずに前記暖房用熱交換器を通過した後再び前記熱媒循環経路に合流するように構成されたバイパス経路と、
前記バイパス経路の形成および遮断を制御するためのバイパス制御弁と、
前記追焚運転時に前記浴槽内の湯を循環加熱するための風呂熱交換器を含む追焚循環経路とを備え、
前記風呂熱交換器は、前記熱媒循環経路を通流する前記熱媒の熱量によって、前記追焚循環経路を通流する湯を加熱するように構成され、
前記熱媒循環経路は、前記バイパス制御弁の開放時による前記バイパス経路の形成時に、前記風呂熱交換器に前記熱媒を通流するように構成され、
前記浴槽内への人の入浴を検知する入浴センサと、
前記風呂保温運転時において、前記入浴センサによって入浴が検知されないときには前記目標温度を第１温度に設定するとともに、前記入浴が検知されると、前記目標温度を前記第１温度よりも高い第２温度に設定して、前記追焚運転を実行するように構成された制御装置とをさらに備え、
前記制御装置は、前記暖房運転と前記風呂保温運転との同時運転中に、前記入浴が検知されると、入浴の非検知時よりも前記暖房端末に供給される前記熱媒の通流量を一時的に減少させる、暖房熱源装置。
【請求項２】
前記制御装置は、前記暖房運転と前記風呂保温運転との同時運転中に、前記入浴が検知されると、前記浴槽内の湯が前記第２温度に到達するまで、前記暖房端末に供給される前記熱媒の通流量を減少させる、請求項１に記載の暖房熱源装置。
【請求項３】
前記制御装置は、前記暖房運転と前記風呂保温運転との同時運転中に、前記入浴が検知されると、規定時間、前記暖房端末に供給される前記熱媒の通流量を減少させる、請求項１に記載の暖房熱源装置。
【請求項４】
前記制御装置は、前記暖房運転と前記風呂保温運転との同時運転中に、前記入浴が検知されると、前記暖房端末に供給される前記熱媒の通流量を一時的に零とする、請求項１から３のいずれか１項に記載の暖房熱源装置。
【請求項５】
前記暖房端末は、少なくとも１つの低温暖房端末を含み、
前記熱媒循環経路は、
前記暖房用熱交換器の入側において、前記少なくとも１つの低温暖房端末に接続される熱媒吐出口に至る第１の出力経路と、少なくとも前記暖房用熱交換器を通過する第１の循環経路とを分岐する分岐部と、
前記少なくとも１つの低温暖房端末にそれぞれ対応して設けられ、前記暖房運転時に開放されることにより、前記第１の出力経路から対応する暖房端末に前記熱媒を通流させるように構成された少なくとも１つの第１の開閉弁をさらに備え、
前記制御装置は、前記暖房運転と前記風呂保温運転との同時運転中に、前記入浴が検知されると、前記少なくとも１つの第１の開閉弁の少なくとも一部を閉止する、請求項１から３のいずれか１項に記載の暖房熱源装置。
【請求項６】
前記暖房端末は、高温暖房端末を含み、
前記熱媒循環経路は、
前記暖房用熱交換器の出側において、前記バイパス経路から分岐されて前記高温暖房端末に接続される熱媒吐出口に至る第２の出力経路と、
前記第２の出力経路から分岐されて、前記高温暖房端末を経由せずに前記熱媒循環経路に合流するように構成された第２の循環経路と、
前記第２の循環経路の形成および遮断を制御するための第２の開閉弁とをさらに含み、
前記制御装置は、前記暖房運転と前記風呂保温運転との同時運転中に、前記入浴が検知されると、前記第２の開閉弁を一時的に開放する、請求項１から５のいずれか１項に記載の暖房熱源装置。
【発明の詳細な説明】
【技術分野】
【０００１】
本発明は、暖房熱源装置に関し、より特定的には、暖房機能および追焚機能を有する暖房熱源装置に関する。
【背景技術】
【０００２】
熱源装置の一態様として、特開２０１６−６３５８号公報（特許文献１）には、浴槽内の湯を加熱する追焚機能を有する給湯装置が開示される。特許文献１では、ユーザの浴槽内からの出浴が検出された際に、浴槽用湯の温度を低下させる風呂熱回収運転を実行し、風呂熱回収運転の実行開始後、ユーザの浴槽内への入浴が検出された際に、浴槽湯用湯の温度を目標温度となるまで上昇させる追焚運転を実行する。ユーザが浴槽へ入浴する際の浴室と浴槽用湯との温度差を縮小させることで、入浴前後の温度差によるユーザの身体的負担を軽減することができる。
【０００３】
熱源装置の他の一態様として、特開２０１４−２５６８７号公報（特許文献２）には、暖房端末との間で形成される循環経路に熱媒を通流することによって暖房機能を有するとともに、上記循環経路から風呂用熱交換器を含むバイパス経路を分岐することによって追焚機能を併有する装置（以下、暖房熱源装置とも称する）が開示されている。特許文献２に記載の暖房熱源装置では、熱媒の一部ずつを循環経路およびバイパス経路に通流させることで、暖房機能および追焚機能を同時に発揮することができる。
【先行技術文献】
【特許文献】
【０００４】
【特許文献１】特開２０１６−６３５８号公報
【特許文献２】特開２０１４−２５６８７号公報
【発明の概要】
【発明が解決しようとする課題】
【０００５】
特許文献２に記載される暖房熱源装置では、暖房運転中にユーザの浴槽への入浴が検知されると、暖房運転と、浴槽内の湯温を上昇させる追焚運転とが同時に実行されることになる。このような場合には、暖房運転の非実行時と比較して、バイパス経路を通流する熱媒の流量が小さくなるため、追焚能力が低下することが懸念される。その結果、ユーザが浴槽に入浴してから浴槽内の湯温が目標温度となるまでに時間を要していまい、ユーザの快適性の低下を招くことが懸念される。
【０００６】
この発明はこのような問題点を解決するためになされたものであって、本発明の目的は、暖房機能および追焚機能を有する暖房熱源装置の暖房運転中に浴槽への入浴の検知時において、浴槽内の湯を速やかに昇温することである。
【課題を解決するための手段】
【０００７】
この発明のある局面では、暖房熱源装置は、暖房端末に熱媒を循環供給する暖房運転と、追焚運転によって浴槽内の湯を目標温度に保つ風呂保温運転とを実行する。暖房熱源装置は、暖房運転時に熱媒を暖房端末との間で循環するための熱媒循環経路と、熱源からの熱量によって熱媒循環経路上の熱媒を加熱するための暖房用熱交換器と、熱媒循環経路から分岐されて、熱媒が暖房端末を経由せずに暖房用熱交換器を通過した後再び熱媒循環経路に合流するように構成されたバイパス経路と、バイパス経路の形成および遮断を制御するためのバイパス制御弁と、追焚運転時に浴槽内の湯を循環加熱するための風呂熱交換器を含む追焚循環経路とを備える。風呂熱交換器は、熱媒循環経路を通流する熱媒の熱量によって、追焚循環経路を通流する湯を加熱するように構成される。熱媒循環経路は、バイパス制御弁の開放時によるバイパス経路の形成時に、風呂熱交換器に熱媒を通流するように構成される。暖房熱源装置は、浴槽内への人の入浴を検知する入浴センサと、風呂保温運転時において、入浴センサによって入浴が検知されないときには目標温度を第１温度に設定するとともに、入浴が検知されると、目標温度を第１温度よりも高い第２温度に設定して、追焚運転を実行するように構成された制御装置とをさらに備える。制御装置は、暖房運転と風呂保温運転との同時運転中に、入浴が検知されると、入浴の非検知時よりも暖房端末に供給される熱媒の通流量を一時的に減少させる。
【０００８】
上記暖房熱源装置によれば、風呂保温運転と暖房運転とが同時に実行されている場合において、浴槽内に人が入浴したことが検知されたときには、入浴の非検知時に比べて、バイパス経路の通流量を増加させることができる。これにより、入浴の検知時において、風呂熱交換器が追焚循環経路の湯に供給する熱量を増やすことができるため、浴槽湯温を速やかに上昇させることが可能となる。
【０００９】
上記暖房熱源装置において好ましくは、制御装置は、暖房運転と風呂保温運転との同時運転中に、入浴が検知されると、浴槽内の湯が第２温度に到達するまで、暖房端末に供給される熱媒の通流量を減少させる。
【００１０】
このようにすると、風呂保温運転と暖房運転とが同時に実行されている場合において、浴槽内に人が入浴したことが検知されたときには、浴槽内の湯温を第２温度まで速やかに上昇させることができる。
【００１１】
上記暖房熱源装置において好ましくは、制御装置は、暖房運転と風呂保温運転との同時運転中に、入浴が検知されると、規定時間、暖房端末に供給される熱媒の通流量を減少させる。
【００１２】
このようにすると、風呂保温運転と暖房運転とが同時に実行されている場合において、浴槽内に人が入浴したことが検知されたときには、規定時間内に、浴槽内の湯温を第２温度まで速やかに上昇させることができる。
【００１３】
上記暖房熱源装置において好ましくは、制御装置は、暖房運転と風呂保温運転との同時運転中に、入浴が検知されると、暖房端末に供給される熱媒の通流量を一時的に零とする。
【００１４】
このようにすると、風呂保温運転と暖房運転とが同時に実行されている場合において、浴槽内に人が入浴したことが検知されたときには、入浴の非検知時に比べて、バイパス経路の通流量を増加させることができるため、浴槽内の湯温を速やかに上昇させることができる。
【００１５】
上記暖房熱源装置において好ましくは、暖房端末は、少なくとも１つの低温暖房端末を含む。熱媒循環経路は、暖房用熱交換器の入側において、少なくとも１つの低温暖房端末に接続される熱媒吐出口に至る第１の出力経路と、少なくとも暖房用熱交換器を通過する第１の循環経路とを分岐する分岐部と、少なくとも１つの低温暖房端末にそれぞれ対応して設けられ、暖房運転時に開放されることにより、第１の出力経路から対応する暖房端末に熱媒を通流させるように構成された少なくとも１つの第１の開閉弁をさらに備える。制御装置は、暖房運転と風呂保温運転との同時運転中に、入浴が検知されると、少なくとも１つの第１の開閉弁の少なくとも一部を閉止する。
【００１６】
このようにすると、風呂保温運転と低温暖房端末の暖房運転とが同時に実行されている場合において、浴槽内に人が入浴したことが検知されたときには、入浴の非検知時に比べて、バイパス経路の通流量を増加させることができる。これにより、入浴の検知時に、風呂熱交換器が追焚循環経路の湯に供給する熱量を増やすことができるため、浴槽湯温を速やかに上昇させることが可能となる。
【００１７】
上記暖房熱源装置において好ましくは、暖房端末は、高温暖房端末を含む。熱媒循環経路は、暖房用熱交換器の出側において、バイパス経路から分岐されて高温暖房端末に接続される熱媒吐出口に至る第２の出力経路と、第２の出力経路から分岐されて、高温暖房端末を経由せずに熱媒循環経路に合流するように構成された第２の循環経路と、第２の循環経路の形成および遮断を制御するための第２の開閉弁とをさらに含む。制御装置は、暖房運転と風呂保温運転との同時運転中に、入浴が検知されると、第２の開閉弁を一時的に開放する。
【００１８】
これによると、風呂保温運転と高温暖房端末の暖房運転とが同時に実行されている場合において、浴槽内に人が入浴したことが検知されたときには、入浴の非検知時に比べて、バイパス経路を通流する熱媒の温度を上昇させることができる。これにより、風呂熱交換器において、追焚循環経路の湯に供給する熱量を増やすことができるため、浴槽湯温を速やかに上昇させることが可能となる。
【発明の効果】
【００１９】
この発明によれば、暖房機能および追焚機能を有する暖房熱源装置の暖房運転中に浴槽への入浴の検知時において、浴槽内の湯を速やかに昇温することができる。
【図面の簡単な説明】
【００２０】
【図１】本発明の実施の形態に従う暖房熱源装置が適用された給湯システムの概略構成図である。
【図２】暖房回路における熱媒の通流経路を説明するためのブロック図である。
【図３】風呂保温運転時における浴槽内の湯温の時間的変化の一例を示す図である。
【図４】入浴の検知時における開閉弁の制御を説明する図である。
【図５】暖房運転および風呂保温運転の同時実行時における給湯システムの運転制御の処理手順を説明するフローチャートである。
【図６】暖房運転および風呂保温運転の同時実行時における給湯システムの運転制御の変更例の処理手順を説明するフローチャートである。
【図７】風呂保温運転時における浴槽内の湯温の時間的変化の一例を示す図である。
【発明を実施するための形態】
【００２１】
以下に本発明の実施の形態について図面を参照して詳細に説明する。なお以下では図中の同一または相当部分には同一符号を付してその説明は原則的に繰返さないものとする。
【００２２】
［実施の形態１］
図１は、本発明の実施の形態に従う暖房熱源装置が適用された給湯システム１００の概略構成図である。
【００２３】
図１を参照して、実施の形態１に従う給湯システム１００は、カラン１０５や図示しないシャワー等の給湯栓の開栓時に出湯するための給湯回路１０１と、図示しない浴槽内の湯を加熱循環するための追焚回路１０２と、複数の暖房端末（図示せず）に対して液体の熱媒である温水を循環供給するための暖房回路１０３と、コントローラ３００とを備える。コントローラ３００は、例えば、マイクロコンピュータによって構成され、「制御装置」の一実施例に対応する。
【００２４】
追焚回路１０２は、吸入口１９１および吐出口１９２の間に、浴槽内の湯を加熱循環するための追焚循環経路を形成するように構成される。吸入口１９１および吐出口１９２は、浴槽内に配置された浴槽アダプタ（図示せず）に設けられた開口部と、配管を経由してそれぞれ接続される。暖房回路１０３から熱媒を受ける暖房端末は、暖房戻口３０２と暖房出力口（低温）３０４との間、または、暖房戻口３０２および暖房出力口（高温）３０６との間に接続される。
【００２５】
以下、順に、給湯回路１０１、追焚回路１０２および暖房回路１０３の構成について説明する。
【００２６】
給湯回路１０１は、缶体１０ａに格納された、一次熱交換器１１ａ、二次熱交換器２１ａおよび燃焼バーナ３０ａを含む。給湯回路１０１は、さらに、入水管５０と、バイパス管６０と、出湯管７０とを含む。
【００２７】
入水管５０には、水道水等が給水される。入水管５０および出湯管７０の間にはバイパス管６０が配置される。入水管５０には、バイパス管６０への分流を制御するための分配弁８０が介挿接続される。分配弁８０の開度に応じて、給水量の一部が入水管５０からバイパス管６０へ分流される。全体給水量に対する分流の割合は、分配弁８０の開度に応じて制御される。
【００２８】
さらに、入水管５０には、温度センサ１１０および流量センサ１５０が配置される。温度センサ１１０は、入水温度Ｔｗを検出する。流量センサ１５０は、分配弁８０よりも下流側（缶体側）に配置される。したがって、流量センサ１５０によって検出される流量Ｑは、缶体１０ａを通過する流量（缶体流量）を示している。流量センサ１５０は、代表的には、羽根車式流量センサによって構成される。
【００２９】
入水管５０の水は、まず二次熱交換器２１ａによって予熱された後、一次熱交換器１１ａにおいて主加熱される。一次熱交換器１１ａおよび二次熱交換器２１ａによって所定温度まで加熱された湯は、出湯管７０から出湯される。
【００３０】
出湯管７０は、合流部７５においてバイパス管６０と接続される。したがって、給湯システム１００からは、缶体１０ａから出力された高温湯と、バイパス管６０からの水を混合した適温の湯が、台所や浴室等の給湯栓や、図示しない風呂への注湯回路などの所定の給湯箇所に供給される。
【００３１】
出湯管７０には、流量調整弁９０および温度センサ１２０，１３０が設けられる。温度センサ１２０は、出湯管７０のバイパス管６０との合流部７５よりも上流側（缶体側）に配置されて、缶体１０ａからの出力湯温を検出する。温度センサ１３０は、合流部７５よりも下流側（出湯側）に設けられて、バイパス管６０からの水が混合された後の出湯温度Ｔｈを検出する。流量調整弁９０は、出湯流量を制御するために設けられる。温度センサ１１０，１２０，１３０は、たとえば、サーミスタによって構成される。
【００３２】
缶体１０ａにおいて、燃焼バーナ３０ａからは、燃料ガスと、送風ファン４０によって供給される燃焼用空気との混合気が出力される。図示しない点火装置によって混合気が着火されることにより、燃料ガスが燃焼されて火炎が生じる。燃焼バーナ３０ａからの火炎によって生じる燃焼熱は、缶体１０ａ内で一次熱交換器１１ａおよび二次熱交換器２１ａへ与えられる。
【００３３】
一次熱交換器１１ａは、燃焼バーナ３０ａによる燃焼ガスの顕熱（燃焼熱）により入水を熱交換によって加熱する。二次熱交換器２１ａは、燃焼バーナ３０ａからの燃焼排ガスの潜熱によって通流された水を熱交換によって加熱する。缶体１０ａの燃焼ガスの流れ方向下流側には熱交換後の燃焼排ガスを排出処理するための排気経路１５が設けられる。このように、缶体１０ａでは、燃焼バーナ３０ａでの燃焼による発生熱量により、一次熱交換器１１ａおよび二次熱交換器２１ａで、入水管５０から供給された水を加熱する。
【００３４】
燃焼バーナ３０ａへのガス供給管３１には、元ガス電磁弁３２、ガス比例弁３３および、能力切換弁３５が配置される。元ガス電磁弁３２は、燃焼バーナ３０ａへの燃料ガスの供給をオンオフする機能を有する。ガス供給管３１のガス流量は、ガス比例弁３３の開度に応じて制御される。
【００３５】
能力切換弁３５は、複数の燃焼バーナ３０ａのうちの、燃料ガスの供給対象となるバーナ本数（バーナ燃焼本数）を切換えるために開閉制御される。缶体１０ａでの発生熱量は、バーナ本数およびガス流量の組み合わせによって決まる、燃焼バーナ３０ａ全体の供給ガス量に比例する。したがって、要求発生熱量に対応させて、能力切換弁３５の開閉パターン（バーナ燃焼本数）およびガス比例弁３３の開度（ガス流量）の組み合わせを決定する設定マップを予め作成することができる。
【００３６】
次に、追焚回路１０２を含む、給湯システム１００における浴槽７００への給湯に関連した構成を説明する。なお、以下では、浴槽７００に対する給湯を「注湯」と表記する一方で、浴槽７００以外の給湯栓（カラン１０５等）への給湯を、単に「給湯」と表記することとする。
【００３７】
給湯システム１００は、出湯管７０から分岐して浴槽７００へ給湯するための注湯管１８０をさらに備える。注湯管１８０は、出湯管７０から流量調整弁９０を経由して分岐される。さらに、注湯管１８０には、注湯電磁弁２１０および逆止弁２２０が介挿接続される。注湯管１８０は、後程説明する風呂戻り配管１９０と、合流部１８５で連結される。
【００３８】
コントローラ３００による注湯電磁弁２１０の開閉制御によって、給湯回路１０１から浴槽７００へ注湯するための経路の形成／遮断を制御することができる。
【００３９】
追焚回路１０２は、風呂戻り配管１９０と、風呂往き配管１９５と、追焚循環ポンプ４００と、風呂熱交換器４１０とを含む。
【００４０】
風呂戻り配管１９０は、浴槽７００からの吸入口１９１と追焚循環ポンプ４００の吸入口との間に設けられる。追焚循環ポンプ４００の吐出側は、風呂熱交換器４１０の一方端と接続される。風呂熱交換器４１０の他方端は、風呂往き配管１９５によって、浴槽７００への吐出口１９２と連結される。
【００４１】
追焚運転時には、追焚循環ポンプ４００が作動することにより、吸入口１９１から給湯システム１００へ浴槽７００内の湯が吸入される。そして、吸入された湯が、風呂戻り配管１９０、追焚循環ポンプ４００、風呂熱交換器４１０および風呂往き配管１９５を経由して、吐出口１９２から浴槽７００内に戻される追焚循環経路が形成される。追焚循環経路において、風呂熱交換器４１０の入力側および出力側には、温度センサ３７４および３７５がそれぞれ設けられる。
【００４２】
温度センサ３７４は、風呂戻り配管１９０を通流する湯の温度を検出することにより、浴槽７００内の湯の温度（以下、「浴槽湯温」とも称す）を検出する。温度センサ３７４，３７５は、たとえば、サーミスタによって構成される。
【００４３】
追焚運転時には、暖房回路１０３の熱動弁３３０が開放される。これにより、後述する暖房回路１０３で加熱された熱媒が、風呂熱交換器４１０を通流する。この結果、追焚循環経路の湯が、風呂熱交換器４１０によって加熱されることによって、浴槽湯温を上昇させることができる。
【００４４】
さらに、風呂戻り配管１９０は、合流部１８５において、注湯管１８０と連結される。これにより、注湯電磁弁２１０が開放されると、給湯回路１０１からの湯が、注湯管１８０を経由して合流部１８５に供給される。注湯運転時には、追焚循環ポンプ４００が停止されているため、供給された湯は、風呂戻り配管１９０および風呂往き配管１９５をそれぞれ経由して、吸入口１９１および吐出口１９２の両方から、浴槽７００内に供給される。
【００４５】
風呂戻り配管１９０には、水位センサ４１２が接続されている。水位センサ４１２は、追焚回路１０２を循環する湯の水圧に基づいて、浴槽７００内の湯の水位を検知する。水位センサ４１２は、例えば圧力センサであり、水位（水圧）に応じた信号としてアナログ電圧をコントローラ３００に出力するように構成される。水位センサ４１２は、浴槽７００内に人が入浴したことを検知するための「入浴センサ」を兼ね備えている。
【００４６】
コントローラ３００は、水位センサ４１２から送信されるアナログ電圧に基づいて、人が浴槽７００に入ったか（入浴したか）、あるいは、人が浴槽７００から出たか（退浴したか）を判定する。具体的には、コントローラ３００は、入力されるアナログ電圧に基づいて、単位時間当たりの水位上昇量が基準値を超えると、人が浴槽７００に入った（すなわち、人が入浴した）と判定する。また、コントローラ３００は、入力されるアナログ電圧に基づいて、単位時間当たりの水位下降量が基準値を下回ると、人が浴槽７００から出た（すなわち、人が退浴した）と判定する。
【００４７】
次に、給湯システム１００内の暖房回路１０３について説明する。暖房回路１０３は、暖房運転時に、暖房戻口３０２と暖房出力口（低温）３０４との間、および、暖房戻口３０２と暖房出力口（高温）３０６との間のそれぞれに、熱媒（代表的には、温水）の循環経路を形成するように構成される。
【００４８】
暖房回路１０３は、一次熱交換器１１ｂおよび二次熱交換器２１ｂと、燃焼バーナ３０ｂとを含む。一次熱交換器１１ｂ，二次熱交換器２１ｂおよび燃焼バーナ３０ｂは、缶体１０ｂ内に格納されている。一次熱交換器１１ｂ，二次熱交換器２１ｂおよび燃焼バーナ３０ｂは、給湯回路の一次熱交換器１１ａ、二次熱交換器２１ａおよび燃焼バーナ３０ａと共通の缶体内に格納されてもよい。
【００４９】
一次熱交換器１１ｂは、燃焼バーナ３０ｂによる燃焼ガスの顕熱（燃焼熱）により入水を熱交換によって加熱する。二次熱交換器２１ｂは、燃焼バーナ３０ｂからの燃焼排ガスの潜熱によって通流された水を熱交換によって加熱する。能力切換弁３６の開閉制御によって、複数の燃焼バーナ３０ｂのうちの、燃料ガスの供給対象となるバーナ本数（バーナ燃焼本数）が切換えられる。燃焼バーナ３０ｂに対しては、燃焼バーナ３０ａと共通のガス供給管３１、元ガス電磁弁３２およびガス比例弁３３を経由して、燃料ガスが供給される。
【００５０】
さらに、暖房回路１０３は、暖房循環ポンプ３１０と、暖房膨張タンク３２０と、熱動弁３３０と、配管３５０，３６０，３７０，３８０，３９０と、開閉弁６１０と、バイパス開閉弁３６５と、温度センサ３８２，３８４とを含む。
【００５１】
配管３５０は、暖房出力口（低温）３０４と一次熱交換器１１ｂの一方端との間を連結する。配管３６０は、一次熱交換器１１ｂの他方端および配管３６２，３７０の間に配設される。
【００５２】
配管３８０は、暖房戻口３０２と二次熱交換器２１ｂの一方端（入側）との間を連結する。配管３９０は、二次熱交換器２１ｂの他方端（出側）および暖房膨張タンク３２０の間を連結する。暖房循環ポンプ３１０の吸入口３１１は、暖房膨張タンク３２０と接続される。暖房循環ポンプ３１０の吐出口３１２は、配管３５０の分岐部３５５と接続される。
【００５３】
暖房膨張タンク３２０は、暖房循環ポンプ３１０の吸入口３１１と連結される。暖房膨張タンク３２０は、暖房回路１０３を循環する熱媒を一時的に貯留する。暖房膨張タンク３２０の水位低下時には、給水弁３０５を開放することにより、配管５１から給水することができる。
【００５４】
配管３６０は、配管３６２と配管３７０とに分岐される。したがって、一次熱交換器１１ｂから出力され配管３６０を通流した熱媒は、配管３７０によって暖房出力口３０６（高温）へ出力される経路と、配管３６２を経由して循環される経路とに分けられる。配管３７０は、さらに、バイパス開閉弁３６５を経由して配管３９０に至る配管３７１と、暖房出力口（高温）３０６に至る配管３７２とに分岐される。配管３７１は、合流部３９５において、配管３９０と接続される。配管３７１によって、一次熱交換器１１ｂで加熱された熱媒を、配管３９０を経由して暖房膨張タンク３２０へ循環する経路が形成される。
【００５５】
一次熱交換器１１ｂの出力側には、暖房回路１０３における缶体１０ｂからの出力温度（缶体出側温度）を検出するための温度センサ３８４が配置される。一方で、暖房膨張タンク３２０には、タンク内の湯温を検出するための温度センサ３８２が配置される。温度センサ３８２による検出温度Ｔｈｉは、暖房出口（低温）３０４から供給される熱媒の温度に相当する。温度センサ３８２，３８４は、たとえば、サーミスタにより構成される。
【００５６】
配管３６２には、熱動弁３３０が介挿接続される。熱動弁３３０の開閉は、コントローラ３００からの開閉指令に従って制御される。熱動弁３３０の開放時には、一次熱交換器１１ｂで加熱された熱媒が、風呂熱交換器４１０を通流する。すなわち、熱動弁３３０の開放時には、一次熱交換器１１ｂから出力された熱媒を、風呂熱交換器４１０、合流部３８５および配管３８０を経由して二次熱交換器２１ｂへ循環させる経路が、さらに形成される。
【００５７】
再び図１を参照して、コントローラ３００は、各センサからの出力信号（検出値）およびユーザ操作を受けて、給湯システム１００の全体動作を制御するために、各機器への制御指令を発生する。ユーザ操作には、給湯システム１００の運転オン／オフ指令および設定湯温指令が含まれる。たとえば、ユーザ操作は、図示しないリモートコントローラに対して入力される。
【００５８】
制御指令には、各弁の開閉および開度指令等が含まれる。運転オン／オフ指令は、給湯回路１０１による給湯運転および注湯運転、追焚回路１０２による追焚運転、ならびに、暖房回路１０３による暖房運転の各々のオン／オフ指令を含む。なお、暖房運転については、暖房端末５００，６００（図２）に対するオン指令に応じて、給湯システム１００における暖房運転が自動的にオンされてもよい。設定湯温は、給湯運転、注湯運転および追焚運転のそれぞれに別個に設定されることが好ましい。なお、暖房運転では、直接、設定温度を入力しないことが一般的である。
【００５９】
給湯運転および注湯運転時には、給湯回路１０１の燃焼バーナ３０ａでの燃焼によって、入水管５０の低温水が加熱されて出湯管７０へ出力される。コントローラ３００は、給湯運転および注湯運転時における、燃焼バーナ３０ａによる要求発生熱量Ｐ＊を算出する。この要求発生熱量Ｐ＊は、流量センサ１５０によって検出される流量と、温度センサ１１０によって検出される入水温と、温度センサ１２０によって検出される、給湯回路１０１での缶体出側温度とに基づいて、缶体出側温度の検出値が目標値に制御されるように算出される。なお、缶体出側温度の目標値は、ユーザによって設定された給湯運転および注湯運転時の設定温度と、バイパス管６０の分流率（分配弁８０の開度）に基づいて設定できる。
【００６０】
追焚運転および暖房運転時には、暖房循環ポンプ３１０の駆動によって形成される熱媒循環経路を循環する熱媒が、燃焼バーナ３０ｂでの燃焼によって加熱される。コントローラ３００は、燃焼バーナ３０ｂによる要求発生熱量Ｐ＊を、温度センサ３８４によって検出された一次熱交換器１１ｂの出力温度（缶体出側温度）の検出値が目標値へ制御されるように算出する。すなわち、燃焼バーナ３０ｂによる要求発生熱量Ｐ＊は、暖房回路１０３における缶体目標温度（Ｔｈｔ＊）と、温度センサ３８２，３８４による検出温度（タンク内湯温Ｔｈｉ，缶体出側温度Ｔｈｔ）とに基づいて、算出することができる。代表的には、要求発生熱量Ｐ＊は、設定された上限値Ｐｍａｘを超えない範囲内で、缶体１０ｂにおける目標昇温量ΔＴ（ΔＴ＝Ｔｈｔ＊−Ｔｈｉ）および缶体出側温度の偏差ΔＴｈｔ（ΔＴｈｔ＝Ｔｈｔ＊−Ｔｈｔ）に基づいて算出することができる。
【００６１】
コントローラ３００は、給湯運転、注湯運転、暖房運転および追焚運転の各々において、算出された要求発生熱量Ｐ＊に従って、燃焼バーナ３０ａ，３０ｂへの供給ガス量を算出する。さらに、コントローラ３００は、この供給ガス量を実現するような、燃焼バーナ３０ａ，３０ｂのうちのバーナ燃焼本数およびガス流量の組合せを決定するとともに、決定されたバーナ燃焼本数およびガス流量が実現されるように、ガス比例弁３３の開度および能力切換弁３５，３６の開閉を制御する。
【００６２】
さらに、コントローラ３００は、算出された供給ガス量に対して、送風ファン４０による送風量の比（空燃比）が所定値（たとえば、理想空燃比）となるように、送風ファン４０の回転数を制御する。
【００６３】
次に、給湯システム１００の暖房回路１０３での通流経路をさらに詳細に説明する。
図２は、暖房回路１０３における熱媒の通流経路を説明するためのブロック図である。
【００６４】
図２を参照して、暖房戻口３０２と暖房出力口（高温）３０６との間には、高温暖房端末５００および開閉弁５１０が接続される。開閉弁５１０の開閉は、高温暖房端末５００のコントローラ（図示せず）によって制御される。
【００６５】
開閉弁５１０は、高温暖房端末５００の作動時に開放される。開閉弁５１０が開放されると、高温暖房端末５００および暖房回路１０３の間に、暖房戻口３０２と暖房出力口（高温）３０６を経由した、熱媒の循環供給経路が形成される。たとえば、高温暖房端末５００は、暖房回路１０３からの熱媒によって加熱された温風を出力する、ルームヒーターによって構成される。
【００６６】
暖房戻口３０２と暖房出力口（低温）３０４との間には、複数の低温暖房端末６００が接続される。配管３５０から暖房出力口（低温）３０４に至る経路には、開閉弁６１０が配置される。開閉弁６１０は、代表的には、熱動弁によって構成される。開閉弁６１０は「第１の開閉弁」の一実施例に対応する。
【００６７】
開閉弁６１０が開放されると、対応の低温暖房端末６００および暖房回路１０３の間に、暖房戻口３０２と暖房出力口（低温）３０４を経由した、熱媒の循環供給経路が形成される。たとえば、低温暖房端末６００は、暖房回路１０３からの熱媒が通流される、床暖房用の温水パネルによって構成される。
【００６８】
暖房端末６００ごとに、開閉弁６１０の開閉が、コントローラ３００によって制御される。各開閉弁６１０は、対応の低温暖房端末６００の作動時に開放される。複数の低温暖房端末６００は、暖房回路１０３に対して並列接続されているので、各開閉弁６１０の開閉によって、低温暖房端末６００ごとに作動および停止が制御できる。以下では、高温暖房端末５００および低温暖房端末６００を包括的に「暖房端末」とも称する。
【００６９】
給湯システム１００は、暖房循環ポンプ３１０が作動すると、暖房戻口３０２と、暖房出力口（低温）３０４および／または暖房出力口（高温）３０６とを経由して、高温暖房端末５００および／または低温暖房端末６００に対して熱媒（温水）を循環供給する。すなわち、暖房循環ポンプ３１０の駆動によって、給湯システム１００内には、暖房戻口３０２と、暖房出力口（低温）３０４および暖房出力口（高温）３０６との間に、熱媒循環経路が形成される。以下、当該熱媒循環経路の詳細について説明する。
【００７０】
暖房循環ポンプ３１０の駆動によって、暖房戻口３０２から、配管３８０、二次熱交換器２１ｂ、配管３９０および、暖房膨張タンク３２０を経由して、暖房循環ポンプ３１０の吸入口３１１に至る吸入経路５４０が形成される。暖房膨張タンク３２０から暖房循環ポンプ３１０に吸入された熱媒は、吐出口３１２から、配管３５０の分岐部３５５へ出力される。
【００７１】
暖房循環ポンプ３１０からの熱媒は、配管３５０の分岐部３５５において、暖房出力口（低温）３０４に至る出力経路５５０と、一次熱交換器１１ｂを通過する経路５６０とに分岐される。経路５６０は、一次熱交換器１１ｂの通過後に暖房出力口（高温）３０６から熱媒を出力する出力経路５６１と、さらに風呂熱交換器４１０の通過後に再び配管３９０へ戻る循環経路５６２とを含む。
【００７２】
循環経路５６２は、熱動弁３３０の開放時に形成される経路であって、風呂熱交換器４１０、合流部３８５、配管３９０を経由して、二次熱交換器２１ｂをさらに通過した後に、配管３９０へ戻る。循環経路５６２は、暖房端末（低温暖房端末６００および高温暖房端末５００）を経由せず、一次熱交換器１１ｂおよび風呂熱交換器４１０を通過した後に、暖房膨張タンク３２０を経由して、暖房循環ポンプ３１０の吸入口３１１へ戻るように構成される。
【００７３】
出力経路５６１は、暖房出力口（高温）３０６に至る出力経路５６１ａと、バイパス開閉弁３６５が設けられた配管３７１を経由して、合流部３９５で配管３９０へ戻る循環経路５６１ｂとを含む。循環経路５６１ｂは、バイパス開閉弁３６５の開放時に形成される。バイパス開閉弁３６５は、代表的には、熱動弁によって構成される。
【００７４】
このように、循環経路５６２および循環経路５６１ｂは、少なくとも一次熱交換器１１ｂを通過した後に、暖房膨張タンク３２０を経由して、暖房循環ポンプ３１０の吸入口３１１へ戻るように構成される。
【００７５】
分岐部３５５における、出力経路５５０と経路５６０との分流比率は、経路５６０の等価的な圧損によって決まる。したがって、熱動弁３３０およびバイパス開閉弁３６５の開閉によって、上記分流比率が決まる。
【００７６】
図２の構成において、出力経路５５０は「第１の出力経路」に対応し、経路５６０は「第１の循環経路」に対応する。さらに、分岐部３５５は、「第１の出力経路」および「第１の循環経路」を分岐する「分岐部」に対応する。
【００７７】
また、一次熱交換器１１ｂは「暖房用熱交換器」に対応し、燃焼バーナ３０ｂ（図１）は「熱源」に対応する。また、吸入経路５４０、出力経路５５０および、経路５６０（出力経路５６１および循環経路５６２を含む）によって、給湯システム１００内の「熱媒循環経路」が構成される。また、暖房戻口３０２は「熱媒戻口」に対応し、暖房出力口３０４，３０６は「熱媒吐出口」に対応する。
【００７８】
さらに、暖房循環ポンプ３１０の駆動による熱媒循環流量は、熱媒循環経路の圧損に依存して変化する。具体的には、熱動弁３３０の開放時には、循環経路５６２が形成されるため、給湯システム１００内の熱媒循環流量も増大する。以下では、循環経路５６２を「バイパス経路」とも称する。熱動弁３３０は、「バイパス経路」の形成および遮断を制御する「バイパス制御弁」に対応する。さらに、出力経路５６１ａは「第２の出力経路」に対応し、循環経路５６１ｂは「第２の循環経路」に対応し、バイパス開閉弁３６５は「第２の開閉弁」の一実施例に対応する。
【００７９】
図２の構成から理解されるように、高温暖房端末５００に対しては、暖房出力口３０６（高温）から、開閉弁５１０を経由して一次熱交換器１１ｂを通過した高温水が供給される。すなわち、高温暖房端末５００へ供給される熱媒の温度は、暖房回路１０３の缶体目標温度Ｔｈｔ＊によって制御することができる。一方で、低温暖房端末６００に対しては、開閉弁６１０を経由して暖房出力口３０４（低温）から、暖房膨張タンク３２０内の湯が供給される。
【００８０】
また、図１に示した追焚回路１０２によって浴槽７００の湯温を上昇させる追焚運転時には、図１に示された追焚循環ポンプ４００の駆動により、追焚循環経路５７０が形成される。さらに、熱動弁３３０が開放されて、暖房回路１０３で加熱された熱媒が風呂熱交換器４１０を通過することにより、追焚循環経路５７０を循環する湯が加熱されて、浴槽湯温が上昇される。
【００８１】
次に、図３を参照して、給湯システム１００における追焚運転について説明する。
追焚運転は、湯張り完了後の目標温度までの自動沸上げ、浴槽７００の湯を目標温度に保温するための自動沸上げ、あるいは、リモートコントローラからの追焚運転指令に基づく沸上げ等により開始される。
【００８２】
図３は、風呂保温運転時における浴槽７００内の湯温の時間的変化の一例を示す図である。図３の横軸は時間を示し、縦軸は温度センサ３７４により検出される浴槽湯温、および水位センサ４１２（入浴センサ）から入力されるアナログ電圧に基づいた入浴および退浴の検知信号を示す。なお、検知信号は、浴槽７００への人の入浴を検知した場合にＨ（論理ハイ）レベルに遷移し、浴槽７００から人が退浴した場合にＬ（論理ロー）レベルに遷移する信号である。
【００８３】
図３の例では、リモートコントローラから「風呂自動モード」が指示されており、注湯運転が実行されることによって、時刻ｔ０以前に湯張りが完了しているものとする。湯張り完了後に追焚運転が行なわれることにより、浴槽湯温は目標温度である第１温度Ｔｂ１まで上昇する。風呂自動モードでは、湯張り完了後、浴槽７００内の湯を目標温度に保つための風呂保温運転が行なわれる。
【００８４】
風呂保温運転では、温度センサ３７４により検出される浴槽湯温が、保温下限温度Ｔｂ１Ｌ以下であれば、追焚運転が実行される。具体的には、コントローラ３００は、時間間隔Ｄ１毎に追焚循環ポンプ４００を駆動させて、追焚循環経路５７０内に浴槽７００内の湯を循環させる。コントローラ３００は、温度センサ３７４により検出される風呂戻り配管１９０の湯温に基づいて、浴槽湯温を判定する。コントローラ３００は、浴槽湯温が保温下限温度Ｔｂ１Ｌより高いときには、追焚循環ポンプ４００を停止する。
【００８５】
一方、浴槽湯温が保温下限温度Ｔｂ１Ｌ以下であれば、コントローラ３００は追焚運転を実行する。図３では、時刻ｔ０より後の時刻ｔ１にて追焚運転が開始されている。コントローラ３００は、追焚循環ポンプ４００を駆動させて、浴槽７００内の湯を追焚循環経路５７０に循環させる。また、コントローラ３００は、燃焼バーナ３０ｂでの燃焼によって、暖房循環ポンプ３１０の駆動により形成される熱媒循環経路を循環する熱媒を加熱する。コントローラ３００は、さらに、熱動弁３３０を開放し、暖房回路１０３で加熱された熱媒を風呂熱交換器４１０に通過させる。これにより、追焚循環経路５７０を循環する湯が加熱され、浴槽湯温が上昇する。コントローラ３００は、温度センサ３７４により検出される浴槽湯温が第１温度Ｔｂ１になれば（時刻ｔ２）、追焚運転を終了する。
【００８６】
ここで、本実施の形態に従う給湯システム１００は、風呂保温運転における浴槽７００内の湯温の目標温度として、リモートコントローラからのユーザ等の入力設定操作に基づいた設定湯温である第２温度Ｔｂ２と、設定湯温よりも低い第１温度Ｔｂ１とを有している。第１温度Ｔｂ１は、例えば、設定湯温（第２温度Ｔｂ２）よりも２℃程度低い温度に設定されている。コントローラ３００は、水位センサ４１２の検知信号により浴槽７００内への人の入浴が検知されないときには目標温度を第１温度Ｔｂ１に設定し、入浴が検知されると、目標温度を第２温度Ｔｂ２に設定する。
【００８７】
これによると、図３の例では、湯張り完了後の浴槽湯温は、追焚運転によって第１温度Ｔｂ１に保温されている。ここで、時刻ｔ３にて、水位センサ４１２からのアナログ電圧に基づいた検知信号がＬレベルからＨレベルに遷移したことに基づいて、浴槽７００内に人が入浴したことが検知されたものとする。
【００８８】
時刻ｔ３にて、入浴が検知されると、コントローラ３００は、浴槽湯温を第２温度Ｔｂ２（設定湯温）まで上昇させるために追焚運転を実行する。この追焚運転によって浴槽湯温が上昇して第２温度Ｔｂ２に到達すると（時刻ｔ４）、コントローラ３００は、追焚運転を終了する。
【００８９】
人が浴槽７００内に入浴している間は、コントローラ３００は、浴槽湯温を第２温度Ｔｂ２に保つために、追焚運転を間欠的に実行する。図３の例では、コントローラ３００は、時刻ｔ４以降、時間間隔Ｄ１毎に追焚循環ポンプ４００を駆動させて温度センサ３７４により浴槽湯温を検出する。検出された浴槽湯温が保温下限温度Ｔｂ２Ｌより高いときには、追焚循環ポンプ４００を停止させる。
【００９０】
一方、浴槽湯温が保温下限温度Ｔｂ２Ｌ以下であれば、コントローラ３００は追焚運転を実行する。図３では、時刻ｔ４より後の時刻ｔ５にて追焚運転が開始され、浴槽湯温が再び第２温度Ｔｂ２に到達すると（時刻ｔ６）、追焚運転が終了される。
【００９１】
なお、図３では、第２温度Ｔｂ２を第１温度Ｔｂ１よりも高い温度とするとともに、保温下限温度Ｔｂ２Ｌを保温下限温度Ｔｂ１Ｌよりも高い温度としている。保温下限温度Ｔｂ２Ｌを、第１温度Ｔｂ１よりも高い温度としているが、保温下限温度Ｔｂ２Ｌは第１温度Ｔｂ１以下の温度としてもよい。
【００９２】
次に、時刻ｔ７にて、水位センサ４１２からのアナログ電圧に基づいた検知信号がＨレベルからＬレベルに遷移したことに基づいて、浴槽７００から人が退浴したことが検知されると、コントローラ３００は、再び、浴槽湯温を第１温度Ｔｂ１に保つために追焚運転を実行する。図３に示すように、時刻ｔ７以降浴槽湯温が低下し、保温下限温度Ｔｂ１Ｌ以下になると、コントローラ３００は、追焚運転を実行する。
【００９３】
さらに、時刻ｔ７より後の時刻ｔ８にて、次の人の入浴が検知されると、コントローラ３００は、浴槽湯温を第２温度Ｔｂ２まで上昇させるために、追焚運転を実行し、浴槽湯温が第２温度Ｔｂ２に到達すると（時刻ｔ９）、追焚運転を終了する。
【００９４】
このように、給湯システム１００は、風呂保温運転の実行時において、湯張り完了後は浴槽湯温を設定湯温（第２温度Ｔｂ２）よりも低い第１温度Ｔｂ１に保つように追焚運転を行ない、人が浴槽７００内に入浴した後、追焚運転によって浴槽湯温を設定湯温（第２温度Ｔｂ２）まで上昇させる。これによると、部屋から脱衣場、その後の入浴といった入浴までの一連の行動の中で生じる急激な温度変化による、入浴者の身体への負担を軽減することができるため、入浴者に快適感を与えることができる。
【００９５】
また、浴槽７００から人が退浴し、浴槽７００内に人が居ないときには、浴槽７００内に人が入浴しているときに比べて浴槽湯温をより低い温度に保つことで、人が入浴していない間のエネルギー消費を抑えつつ、浴槽湯温が低くなり過ぎることを抑制することができる。
【００９６】
なお、図３の例では、浴槽７００内に人は居ないときに追焚循環ポンプ４００を駆動する時間間隔Ｄ１と、浴槽７００内に人が入浴しているときに追焚循環ポンプ４００を駆動する時間間隔Ｄ１とを等しい長さとしたが、これら２つの時間間隔を異なる長さとしてもよい。例えば、浴槽７００内に人が居ないときには、浴槽７００内に人が入浴しているときに比べて時間間隔Ｄ１を長くすることで、追焚循環ポンプ４００を駆動する機会が減るため、エネルギー消費をさらに抑えることができる。
【００９７】
ここで、入浴者の快適感を高めるためには、浴槽７００内に人が入浴したことが検知されると（図３の時刻ｔ３，ｔ８に相当）、浴槽湯温を第１温度Ｔｂ１から第２温度Ｔｂ２（設定湯温）まで速やかに上昇させることが求められる。例えば、入浴が検知されてから規定時間内に追焚運転が完了していることが定められている。規定時間は、例えば１０分間に設定されている。
【００９８】
これには、例えば、水位センサ４１２により入浴が検知されると、缶体出側温度Ｔｈｔの目標温度（缶体目標温度Ｔｈｔ＊）を、入浴の非検知時よりも高くすることで、燃焼バーナ３０ｂによる要求発生熱量Ｐ＊を増やすことが考えられる。これによると、燃焼バーナ３０ｂから一次熱交換器１１ｂへ与えられる熱量が増加するために、缶体出側温度Ｔｈｔが上昇し、結果的にバイパス経路５６２を通流する熱媒の温度も上昇することになる。そして、この高温の熱媒が風呂熱交換器４１０を通過することにより、追焚循環経路５７０を循環する湯が加熱されて、浴槽湯温を速やかに上昇させることができる。
【００９９】
しかしながら、給湯システム１００において追焚運転と暖房運転とが同時に実行されている場合には、図２に示した熱媒循環経路において、バイパス経路５６２に加えて、出力経路５５０および／または５６１が並列に形成されるため、追焚運転のみを実行する場合に比べて、バイパス経路５６２の通流量が小さくなる。そのため、暖房運転の非実行時に比べて、風呂熱交換器４１０を通流する熱媒の熱量が減少するため、追焚循環経路５７０の湯温を速やかに上昇させることが困難となることが懸念される。
【０１００】
また、低温暖房端末６００の暖房運転時には、経路５６０に対して出力経路５５０が並列に形成されるため、暖房運転の非実行時に比べて、一次熱交換器１１ｂの通流量が小さくなる。そのため、上述したように、燃焼バーナ３０ｂによる要求発生熱量Ｐ＊を増やして燃焼バーナ３０ｂから一次熱交換器１１ｂへ与える熱量を増加させようとした場合には、一次熱交換器１１の通流量が小さいために、缶体出側温度Ｔｈｔが過上昇してしまう可能性がある。その結果、頻繁に燃焼の停止を余儀なくされることが懸念される。
【０１０１】
そこで、実施の形態１では、風呂保温運転と暖房運転とが同時に実行されている場合において、浴槽７００内に人が入浴したことが検知されたときには、開閉弁６１０を一時的に閉止することにより、出力経路５５０を遮断する。
【０１０２】
具体的には、図３を参照して、風呂保温運転と、低温暖房端末６００の暖房運転とが同時に実行されている場合、開閉弁６１０は開放（オン）されている（時刻ｔ０）。したがって、給湯システム１００は、暖房循環ポンプ３１０の駆動によって、出力経路５５０、開閉弁６１０および暖房出力口（低温）３０４を経由して低温暖房端末６００に対して熱媒（温水）を循環供給する。
【０１０３】
暖房運転中に浴槽７００内に人が入浴したことが検知されると（時刻ｔ３）、コントローラ３００は、開閉弁６１０を一時的に閉止（オフ）する。これにより、時刻ｔ３以降、出力経路５５０が遮断され、低温暖房端末６００が停止した状態で、追焚運転が実行されることになる。
【０１０４】
出力経路５５０が遮断されたことで、時刻ｔ３よりも前の入浴の非検知時に比べて、一次熱交換器１１ｂの通流量が増加するため、バイパス経路５６２の通流量も大きくなる。これにより、風呂熱交換器４１０において、追焚循環経路５７０の湯に供給する熱量を増やすことができ、結果的に追焚循環経路５７０の湯温を速やかに上昇させることが可能となる。
【０１０５】
ここで、図３の例では、浴槽湯温が第２温度Ｔｂ２に到達して追焚運転が終了すると（時刻ｔ４）、コントローラ３００は、開閉弁６１０を開放して出力経路５５０を再び形成する。言い換えれば、コントローラ３００は、浴槽７００内に人が入浴したことが検知されてから浴槽湯温が第２温度Ｔｂ２に到達するまでの間、開閉弁６１０を一時的に閉止するように構成される。
【０１０６】
なお、本実施の形態のように、給湯システム１００に対して複数の低温暖房端末６００が接続されている場合には、図４に示すように、作動中の少なくとも１つの低温暖房端末６００にそれぞれ対応する少なくとも１つの開閉弁６１０を閉止するようにしてもよい。
【０１０７】
具体的には、図４（Ａ）には、複数の開閉弁６１０がすべて開放されることにより、複数の低温暖房端末６００がすべて作動している状態が示されている。このような状態においては、コントローラ３００は、水位センサ４１２からの検知信号により入浴が検知されると、複数の開閉弁６１０をすべて閉止することで、複数の低温暖房端末６００をすべて停止させることができる。その結果、出力経路５５０の通流量が零となるため、暖房循環ポンプ３１０の吐出口３１２から出力された熱媒はすべて一次熱交換器１１ｂを通流することになる。その後、浴槽湯温が第２温度Ｔｂ２に到達すると、コントローラ３００は、追焚運転を終了し、複数の開閉弁６１０をすべて開放させる。これにより、出力経路５５０が形成され、複数の低温暖房端末６００は再び作動する。
【０１０８】
これに対して、図４（Ｂ）では、複数の開閉弁６１０がすべて開放され、複数の低温暖房端末６００がすべて作動している状態において、水位センサ４１２の検知信号により入浴が検知されると、コントローラ３００は、複数の開閉弁６１０のうち一部の開閉弁６１０を閉止する。したがって、一部の開閉弁６１０にそれぞれ対応する一部の低温暖房端末６００が停止する。この場合、入浴の非検知時に比べて、出力経路５５０の通流量が減少することで、一次熱交換器１１ｂの通流量が増加することになる。その後、コントローラ３００は、浴槽湯温が第２温度Ｔｂ２に到達すると、追焚運転を終了し、一部の開閉弁６１０を開放させる。これにより、出力経路５５０は元の通流量となり、一部の低温暖房端末６００は再び作動する。
【０１０９】
このように、図４（Ａ）に示す開閉弁６１０の制御では、入浴が検知されると、入浴の非検知時に比べて風呂熱交換器４１０の通流量を増加させて、浴槽湯温を第２温度Ｔｂ２に速やかに上昇させることができるが、その一方で、複数の低温暖房端末６００を一時的に停止させるため、各部屋の室温を一時的に低下させてしまう場合が懸念される。
【０１１０】
これに対して、図４（Ｂ）に示す開閉弁６１０の制御では、図４（Ａ）に比べて、入浴が検知されたときの風呂熱交換器４１０の通流量が減少するものの、一部の低温暖房端末６００については暖房運転を継続させることができる。そのため、該一部の低温暖房端末６００が設置された部屋の室温を保つことができる。
【０１１１】
なお、図４（Ｂ）において、入浴が検知されたときにどの開閉弁６１０を閉止させるかについて、予め設定された優先順位に従って決めることができる。この優先順位は、例えば、コントローラ３００に内蔵されるメモリにテーブルとして格納しておくことができる。コントローラ３００は、入浴が検知されると、このテーブルを参照して、作動中の低温暖房端末６００のうち相対的に優先順位が低い一部の低温暖房端末６００に対応する開閉弁６１０を閉止し、該一部の低温暖房端末６００を停止させる。そして、追焚運転の終了後、コントローラ３００は、これら一部の開閉弁６１０を開放することにより、低温暖房端末６００を再び作動する。これによると、入浴者の快適性を確保しながら、低温暖房端末６００が設置された部屋内のユーザの快適性を保つことができる。
【０１１２】
図５は、暖房運転および風呂保温運転の同時実行時における給湯システム１００の運転制御の処理手順を説明するフローチャートである。図５に示したフローチャートに従う制御処理は、図１に示したコントローラ３００によって繰返し実行される。
【０１１３】
図５を参照して、コントローラ３００は、ステップＳ０１により、暖房運転中であるか否かを判定する。図示しないリモートコントローラに対するユーザのスイッチ操作に基づいて、ステップＳ０１の判定は実行できる。
【０１１４】
コントローラ３００は、暖房運転中（Ｓ０１のＹＥＳ判定時）には、ステップＳ０２により、開閉弁６１０を開放状態に保つとともに、ステップＳ０３に処理を進めて、風呂保温運転中であるか否かを判定する。ステップＳ０３の判定は、図示しないリモートコントローラに対するユーザのスイッチ操作に基づいて実行できる。暖房運転の非実行中（Ｓ０１のＮＯ判定時）あるいは、暖房運転中であるが風呂保温運転の非実行中（Ｓ０３のＮＯ判定時）には、コントローラ３００は処理を終了する。
【０１１５】
一方、コントローラ３００は、暖房運転中であって、かつ、風呂保温運転中であるとき（Ｓ０３のＹＥＳ判定時）には、ステップＳ０４に処理を進めて、浴槽７００内に人が入浴したか否かを判定する。ステップＳ０４の判定は、水位センサ４１２からのアナログ電圧に基づいた検知信号に基づいて実行できる。
【０１１６】
コントローラ３００は、浴槽７００への人の入浴が検知されない場合（Ｓ０４のＮＯ判定時）には、処理をステップＳ１７に進めて、風呂保温運転における目標温度を第１温度Ｔｂ１に設定する。続いて、コントローラ３００は、ステップＳ１８により、浴槽湯温が保温下限温度Ｔｂ１Ｌ以下であるか否かを判定する。ステップＳ１８の判定は、時間間隔Ｄ１毎に追焚循環ポンプ４００を駆動させたときに温度センサ３７４により検出される風呂戻り配管１９０の湯温に基づいて実行できる。
【０１１７】
浴槽湯温が保温下限温度Ｔｂ１Ｌより高ければ（Ｓ１８のＮＯ判定時）、コントローラ３００は、処理を終了する。一方、浴槽湯温が保温下限温度Ｔｂ１Ｌ以下である場合（Ｓ１８のＹＥＳ判定時）には、コントローラ３００は、処理をステップＳ１９に進めて、追焚運転を実行する。ステップＳ１９では、コントローラ３００が熱動弁３３０（バイパス制御弁）を開放することにより、暖房回路１０３で加熱された熱媒が風呂熱交換器４１０を通過する。コントローラ３００は、さらに、追焚循環ポンプ４００を駆動させて、風呂熱交換器４１０によって追焚循環経路５７０を循環する湯を加熱する。
【０１１８】
コントローラ３００は、追焚運転中、ステップＳ２０により、浴槽湯温が第１温度Ｔｂ１以上であるか否かを判定する。浴槽湯温が第１温度Ｔｂ１より低い場合（Ｓ２０のＮＯ判定時）、コントローラ３００は、処理をステップＳ１９に戻して追焚運転を継続する。一方、浴槽湯温が第１温度Ｔｂ１以上になると（Ｓ２０のＹＥＳ判定時）、コントローラ３００は、処理をステップＳ２１に進めて、追焚運転を停止する。
【０１１９】
これに対して、浴槽７００への人の入浴が検知された場合（Ｓ０４のＹＥＳ判定時）、コントローラ３００は、ステップＳ０５により、風呂保温運転における目標温度を第２温度Ｔｂ２に設定する。続いて、コントローラ３００は、ステップＳ０６により、浴槽湯温が保温下限温度Ｔｂ２Ｌ以下であるか否かを判定する。ステップＳ０６の判定は、時間間隔Ｄ１毎に追焚循環ポンプ４００を駆動させたときに温度センサ３７４により検出される風呂戻り配管１９０の湯温に基づいて実行できる。
【０１２０】
浴槽湯温が保温下限温度Ｔｂ２Ｌより高い場合（Ｓ０６のＮＯ判定時）、コントローラ３００は、処理を終了する。一方、浴槽湯温が保温下限温度Ｔｂ２Ｌ以下である場合（Ｓ０６のＹＥＳ判定時）には、コントローラ３００は、処理をステップＳ０７に進めて、開閉弁６１０を閉止するとともに、ステップＳ０８により、追焚運転を実行する。
【０１２１】
コントローラ３００は、追焚運転中、ステップＳ０９により、浴槽湯温が第２温度Ｔｂ２以上であるか否かを判定する。浴槽湯温が第２温度Ｔｂ２より低い場合（Ｓ０９のＮＯ判定時）、コントローラ３００は、処理をステップＳ０７に戻し、開閉弁６１０を閉止状態に保ちつつ、追焚運転を継続する。
【０１２２】
一方、浴槽湯温が第２温度Ｔｂ２以上になると（Ｓ０９のＹＥＳ判定時）、コントローラ３００は、処理をステップＳ１０に進めて、開閉弁６１０を開放するとともに、ステップＳ１１により、追焚運転を停止する。以降、コントローラ３００は、浴槽湯温を第２温度Ｔｂ２に保つために追焚運転を間欠的に実行する。
【０１２３】
具体的には、コントローラ３００は、ステップＳ１２により、浴槽７００から人が退浴したか否かを判定する。ステップＳ１２の判定は、水位センサ４１２からの検知信号に基づいて実行できる。
【０１２４】
コントローラ３００は、浴槽７００から人が退浴していない場合（Ｓ１２のＮＯ判定時）、ステップＳ１３に処理を進めて、浴槽湯温が保温下限温度Ｔｂ２Ｌ以下であるか否かを判定する。浴槽湯温が保温下限温度Ｔｂ２Ｌより高ければ（Ｓ１３のＮＯ判定時）、コントローラ３００は、処理を終了する。一方、浴槽湯温が保温下限温度Ｔｂ２Ｌ以下である場合（Ｓ１３のＹＥＳ判定時）には、コントローラ３００は、処理をステップＳ１４に進めて、追焚運転を実行する。コントローラ３００は、追焚運転中、ステップＳ１５により、浴槽湯温が第２温度Ｔｂ２以上であるか否かを判定し、浴槽湯温が第２温度Ｔｂ２より低い場合（Ｓ１５のＮＯ判定時）、処理をステップＳ１４に戻し、追焚運転を継続する。一方、浴槽湯温が第２温度Ｔｂ２以上になると（Ｓ１５のＹＥＳ判定時）、コントローラ３００は、処理をステップＳ１６に進めて、追焚運転を停止する。
【０１２５】
これに対して、ステップＳ１２に戻って、浴槽７００からの人の退浴が検知された場合（Ｓ１２のＹＥＳ判定時）、コントローラ３００は、処理をステップＳ１７に進めて、風呂保温運転における目標温度を第１温度Ｔｂ１に設定し、ステップＳ１８により、浴槽湯温が保温下限温度Ｔｂ１Ｌ以下であるか否かを判定する。
【０１２６】
浴槽湯温が保温下限温度Ｔｂ１Ｌ以下である場合（Ｓ１８のＹＥＳ判定時）には、コントローラ３００は、処理をステップＳ１９に進めて、追焚運転を実行する。コントローラ３００は、追焚運転中、ステップＳ２０により、浴槽湯温が第１温度Ｔｂ１以上であるか否かを判定し、浴槽湯温が第１温度Ｔｂ１より低い場合（Ｓ２０のＮＯ判定時）には、処理をステップＳ１９に戻し、追焚運転を継続する。一方、浴槽湯温が第１温度Ｔｂ１以上になると（Ｓ２０のＹＥＳ判定時）、コントローラ３００は、処理をステップＳ２１に進めて、追焚運転を停止する。
【０１２７】
なお、ステップＳ０７による開閉弁６１０の閉止は、図４（Ａ）に示したように、作動中の低温暖房端末６００に対応する開閉弁６１０をすべて閉止させてもよいし、図４（Ｂ）に示したように、作動中の低温暖房端末６００の一部に対応する開閉弁６１０を閉止させてもよい。
【０１２８】
また、ステップＳ１０による開閉弁６１０の開放は、温度センサ３７４による浴槽湯温の検出値によらず、ステップＳ０７にて開閉弁６１０を閉止してからの経過時間に基づいて行なってもよい。例えば、コントローラ３００は、浴槽７００内に人が入浴したことが検知されると、予め定められた規定時間（例えば、１０分間）、開閉弁６１０を閉止する制御を行なってもよい。
【０１２９】
この制御では、コントローラ３００は、開閉弁６１０を閉止するとともに、タイマを用いて入浴が検知された時点（図３の時刻ｔ３）からの経過時間の計測を開始する。そして、タイマの計測時間が規定時間に達すると、コントローラ３００は、開閉弁６１０を開放する。これによると、規定時間内は、風呂熱交換器４１０が追焚循環経路５７０の湯に供給する熱量を増やすことができるため、追焚循環経路５７０の湯温を速やかに上昇させることが可能となる。
【０１３０】
図６は、暖房運転および風呂保温運転の同時実行時における給湯システム１００の運転制御の変更例の処理手順を説明するフローチャートである。図６に示したフローチャートに従う制御処理は、図１に示したコントローラ３００によって繰返し実行される。
【０１３１】
図６を参照して、本変形例に従う運転制御では、図５に示したフローチャートのステップＳ０９に代えて、ステップＳ０９Ａによって、開閉弁６１０を開放するか否かを判定する。ステップＳ０９Ａ以外の処理は、図５と同様であるので説明は繰返さない。
【０１３２】
コントローラ３００は、ステップＳ０９Ａでは、ステップＳ０４により入浴が検知されてからの経過時間が、規定時間に達したか否かを判定する。コントローラ３００は、経過時間が規定時間に達していない場合（Ｓ０９ＡのＮＯ判定時）には、処理をステップＳ０７に戻し、追焚運転を継続する。一方、経過時間が規定時間に達すると（Ｓ０９ＡのＹＥＳ判定時）、コントローラ３００は、処理をステップＳ１０に進めて、開閉弁６１０を開放するとともに、ステップＳ１１により、追焚運転を停止する。
【０１３３】
このように、本実施の形態１に従う暖房熱源装置によれば、風呂保温運転と暖房運転とが同時に実行されている場合において、浴槽内に人が入浴したことが検知されたときには、開閉弁６１０を一時的に閉止して、低温暖房端末６００に供給される熱媒の通流量を一時的に減少させることにより、入浴の非検知時に比べて、バイパス経路５６２の通流量を増加させることができる。これにより、入浴の検知時に、風呂熱交換器４１０が追焚循環経路５７０の湯に供給する熱量を増やすことができるため、浴槽湯温を速やかに上昇させることが可能となる。
【０１３４】
［実施の形態２］
再び図１および図２を参照して、給湯システム１００では、暖房運転時において、低温暖房端末６００および高温暖房端末５００がともに作動している場合以外に、低温暖房端末６００が作動し、高温暖房端末５００が停止している場合、および、低温暖房端末６００が停止し、高温暖房端末５００が作動している場合がある。
【０１３５】
少なくとも低温暖房端末６００が作動している場合には、暖房運転および風呂保温運転の同時実行時において実施の形態１に説明した開閉弁６１０の制御を行なうことによって、低温暖房端末６００に供給される熱媒の通流量を一時的に減少させることで、入浴が検知されたときに浴槽湯温を速やかに上昇させることができる。
【０１３６】
一方、少なくとも高温暖房端末５００が作動している場合には、暖房運転および風呂保温運転の同時実行時に、高温暖房端末５００に供給される通流量を一時的に減少させる制御を実行することによっても、実施の形態１と同様の作用効果を得ることができる。特に、低温暖房端末６００および高温暖房端末５００がともに作動している場合には、開閉弁６１０の制御に加えて、高温暖房端末５００に供給される熱媒の通流量を一時的に減少させる制御を実行することによって、浴槽湯温をより速やかに上昇させることができる。これによると、入浴者の快適性を高めるとともに、暖房端末が停止状態となる時間を短縮できるため、室内のユーザの快適性も保つことができる。
【０１３７】
実施の形態２では、暖房運転および風呂保温運転の同時実行時における、高温暖房端末５００の通流量の制御について説明する。なお、実施の形態２では、給湯システム１００の構成を始め、高温暖房端末５００の制御以外の構成および制御は、実施の形態１と同様である。
【０１３８】
図７には、風呂保温運転時における浴槽７００内の湯温の時間的変化の一例を示す図であって、図３と対比される図である。図７の横軸は時間を示し、縦軸は、温度センサ３７４により検出される浴槽湯温、および水位センサ４１２（入浴センサ）から入力されるアナログ電圧に基づいた入浴／退浴の検知信号を示す。
【０１３９】
図７の例では、図３と同様に、リモートココントローラから「風呂自動モード」が指示されており、注湯運転が実行されることによって、時刻ｔ０以前に湯張りが完了しているものとする。湯張り完了後に追焚運転が行なわれることにより、浴槽湯温は第１温度Ｔｂ１まで上昇する。コントローラ３００は、時間間隔Ｄ１毎に追焚循環ポンプ４００を駆動させて、追焚循環経路５７０内に浴槽７００内の湯を循環させる。温度センサ３７４により検出される風呂戻り配管１９０の湯温（浴槽湯温）が保温下限温度Ｔｂ１Ｌ以下であれば、コントローラ３００は追焚運転を実行する。浴槽湯温が第１温度Ｔｂ１になれば、追焚運転を終了する。
【０１４０】
ここで、給湯システム１００において、風呂保温運転と高温暖房端末５００の暖房運転とが同時に実行されており、バイパス開閉弁３６５が閉止（オフ）されている場合を想定する。
【０１４１】
暖房運転中、給湯システム１００は、暖房循環ポンプ３１０の駆動によって、経路５６０、出力経路５６１，５６１ａ、暖房出力口（高温）３０６および開閉弁５１０を経由して高温暖房端末５００に対して熱媒（温水）を循環供給する。
【０１４２】
時刻ｔ３にて浴槽７００内に人が入浴したことが検知されると、コントローラ３００は、バイパス開閉弁３６５を一時的に開放（オン）する。これにより、時刻ｔ３以降、循環経路５６１ｂが形成された状態で、追焚運転が実行されることになる。循環経路５６１ｂが形成されたことで、時刻ｔ３よりも前の入浴の非検知時に比べて、出力経路５６１ａの通流量が減少する一方で、高温の熱媒が配管３７１を経由して合流部３９５で配管３９０へ戻る循環経路５６１ｂが形成されることで、配管３９０を通流する熱媒の温度を上昇させることができる。そして、この熱媒を一次熱交換器１１ｂで加熱することにより、バイパス経路５６２を通流する熱媒の温度が高められる。これにより、風呂熱交換器４１０の熱媒の熱量が増えるため、追焚循環経路５７０の湯を速やかに加熱することができる。
【０１４３】
このように、本実施の形態２に従う暖房熱源装置によれば、風呂保温運転と暖房運転とが同時に実行されている場合において、浴槽７００内に人が入浴したことが検知されたときには、バイパス開閉弁３６５を一時的に開放して、高温暖房端末５００に供給される熱媒の通流量を一時的に減少させることにより、入浴の非検知時に比べて、バイパス経路５６２を通流する熱媒の温度を上昇させることができる。これにより、風呂熱交換器４１０において、追焚循環経路５７０の湯に供給する熱量を増やすことができるため、浴槽湯温を速やかに上昇させることが可能となる。
【０１４４】
なお、本実施の形態２に従うバイパス開閉弁３６５の制御を、本実施の形態１に従う開閉弁６１０の制御と組み合わせて実行してもよい。すなわち、入浴が検知されると、開閉弁６１０を閉止するとともに、バイパス開閉弁３６５を開放する制御を行なってもよい。これによると、バイパス経路５６２を通過する熱媒の通流量を増加させるとともに、熱媒の温度を高めることが可能となる。したがって、浴槽湯温をより速やかに上昇させることができる。
【０１４５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１４６】
１０ａ，１０ｂ  缶体、１１ａ  一次熱交換器（給湯回路）、１１ｂ  一次熱交換器（暖房回路）、１５  排気経路、２１ａ  二次熱交換器（給湯回路）、２１ｂ  二次熱交換器（暖房回路）、３０ａ  バーナ（給湯回路）、３０ｂ  バーナ（暖房回路）、３１  ガス供給管、３２  元ガス電磁弁、３３  ガス比例弁、３５  能力切換弁（給湯回路）、３６  能力切換弁（暖房回路）、４０  送風ファン、５０  入水管、５１  配管、６０  バイパス管、７０  出湯管、７５  合流部（バイパス管）、８０  分配弁、９０  流量調整弁、１００  給湯システム、１０１  給湯回路、１０２  追焚回路、１０３  暖房回路、１０５  カラン、１０６  排水栓、１１０，１２０，１３０  温度センサ（給湯回路）、１５０  流量センサ、１８０  注湯管、１８５  合流部（注湯管）、１９０  風呂戻り配管、１９１  吸入口（浴槽）、１９２  吐出口（浴槽）、１９５  風呂往き配管、２１０  注湯電磁弁、２２０  逆止弁、３００  コントローラ、３０２  暖房戻口、３０４  暖房出力口（低温）、３０６  暖房出力口（高温）、３０５  給水弁、３１０  暖房循環ポンプ、３２７  オーバーフロータンク、３３０  熱動弁、３５０，３６０，３６１，３６２，３７０，３８０，３９０  配管（暖房回路）、３５５  分岐部、３６５  バイパス開閉弁、３７４，３７５  温度センサ（追焚回路）、３８５，３９５  合流部（暖房回路）、４００  追焚循環ポンプ、４１０  風呂熱交換器、４１２  水位センサ、５００  高温暖房端末、５１０  開閉弁、５４０  吸入経路（熱媒循環経路）、５５０，５６１，５６１ａ  出力経路（熱媒循環経路）、５６２  循環経路（バイパス経路），５６１ｂ  循環経路（熱媒循環経路）、５６０  経路（熱媒循環経路）、５７０  追焚循環経路、６００  低温暖房端末、６１０  開閉弁、７００  浴槽。
【図１】
2019168170.tif 000003
【図２】
2019168170.tif 000004
【図３】
2019168170.tif 000005
【図４】
2019168170.tif 000006
【図５】
2019168170.tif 000007
【図６】
2019168170.tif 000008
【図７】
2019168170.tif 000009